(57)【要約】本発明は、受信装置（１）によって受信されたデジタル振幅変調無線信号を復調する方法および回路構成に関する。無線信号は、搬送信号と該搬送信号に重畳されたデジタル情報信号とを有する。無線信号は、同一の極性と逆位相とを有する、第１および第２の分割信号（ＵＬＡ／ＵＬＢ）に分割され、それぞれ反転され、「ＡＮＤ（論理積）」によって結合される。好ましくは、無線信号の受信は、誘導結合によって行われ、本回路構成は非接触チップカード内に配置される。
2006500836.tif 000002
【特許請求の範囲】
【請求項１】
受信装置（１）によって受信される搬送信号と該搬送信号に加担されたデジタル情報信号と、を伴うデジタル振幅変調無線信号を復調する方法であって、
該無線信号は、同一の極性と逆位相とを有する、第１および第２の分割信号（ＵＬＡ／ＵＬＢ）に分割され、各々は反転され、「ＡＮＤ（論理積）」によって結合される、方法。
【請求項２】
前記無線信号の前記受信は、誘導結合によって行われることを特徴とする、請求項１に記載の方法。
【請求項３】
非接触チップカードに使用されることを特徴とする、請求項１また２に記載の方法。
【請求項４】
整流器（２）に提供される少なくとも第１および第２の出力を有する受信装置（Ｌ）と、第１および第２のデジタルインバータと、ＡＮＤ結合とを有する、請求項１から３のいずれか一項に記載の方法を実施するための回路構成であって、
該受信装置の各出力部は、該ＡＮＤ結合に接続される、回路構成。
【請求項５】
前記受信装置（１）は、コイルであることを特徴とする、請求項４の回路構成。
【請求項６】
前記ＡＮＤ結合の出力部は、相補導電タイプの第１および第２の電界効果トランジスタに接続されることを特徴とする、請求項４または５に記載の回路構成。
【請求項７】
前記回路構成は、非接触チップカード内に配置されることを特徴とする、請求項４から６のいずれか一項に記載の回路構成。
【発明の詳細な説明】
【技術分野】
【０００１】
本発明は、受信装置によって受信されるデジタル振幅変調無線信号を復調する方法および回路構成に関する。
【背景技術】
【０００２】
非接触チップカード、特にＲＦＩＤ（無線周波数識別）チップカードは、無線リンクを介して、振幅変調無線信号からなる情報を得るのみならず、チップカードの駆動に必要な駆動電圧を受信信号から取り出す。
【０００３】
図１に示されるように、またＲＦＩＤハンドブック「Ｆｉｎｋｅｎｚｅｌｌｅｒ、Ｋ．；第２版」に記載されているように、この目的のために、チップカードは、受信装置の２つの出力に接続される整流装置を有する。さらに、受信装置の１つの出力は、復調装置に供給される。復調装置は、含まれる情報信号を搬送波から分離する。
【０００４】
この目的のために、受信信号から搬送波周波数をフィルタリングするためのＲＣ素子が、復調装置内に配置される。ＲＣ素子の規模は、受信搬送波の周波数および振幅に依存する。そのため、ＲＣ素子の寸法は、場合によっては大きく、またそれに対応して、非接触チップカードのためのチップの多くの空間および面積割り当てを必要とする。
【０００５】
少なくとも社内の技術水準が、図２に示された回路構成内に、記載される。ここで、において、受信信号は、復調の前に、インバータおよび相補導電タイプの２つの電界効果トランジスタを介してＲＣ素子によってデジタル化される。
【発明の開示】
【発明が解決しようとする課題】
【０００６】
本発明の課題は、既知のＲＣ素子の空間および表面積要求を大幅に減少し、それによって非接触チップカードのためのチップの製造コストを低減することにある。
【課題を解決するための手段】
【０００７】
この課題は、本発明の方法およびこの方法を実施するための回路構成によって解決される。ここにおいて、受信装置によって受信される、搬送信号と該搬送信号に加担されたデジタル情報信号とを伴うデジタル振幅変調無線信号は、同一の極性と対向する位相とを有する、第１および第２の分割信号に分割され、第１および第２の分割信号は、「ＡＮＤ（論理積）」で結合される。
【０００８】
この方法によって、受信信号を復調するためのＲＣ素子は、ＡＮＤ結合（Ｖｅｒｋｎｕｅｐｆｕｎｇ）に置き換えられる。そのため、復調はＡＮＤ結合において行われる。その際、ＲＣ素子には、さらなる信号処理において、もっぱら信号平滑の作用が割り当てられる。そのため、ＲＣ素子は、対応して、より小さいサイズにおいて与えられ得る。
【０００９】
ＡＮＤ結合による復調において、受信装置の２つの出力から同時に取られた受信無線信号のそれぞれの正の半波が取り出される。これら２つの分割信号の各々は、個別にインバータに供給される。このインバータは、正の半波を含むアナログ分割信号をデジタル方形波信号に変換する。このデジタル方形波信号の振幅は、この場合、単に２つの状態、Ｕ＝ＵＭＡＸあるいはＵ＝ＵＭＩＮをとる。インバータの反転の結果として、元の信号に対して受け得られた分割信号は、その位相が９０°シフトされる。
【００１０】
受信された無線信号の２つの分割信号と同様に、反転の結果として得られた無線信号のデジタル分割信号もまた、互いに逆位相にある。本発明によれば、分割信号は、ＡＮＤ結合に供給され、そこで「ＡＮＤ（論理積）」される。
【００１１】
そのため、「ＡＮＤ」の後に、位相遅れの分割信号からデジタル「０」が生成される。振幅ゼロの受信無線信号に対して、「ＡＮＤ」の後に、デジタル「１」が生成される。その結果、ＡＮＤ回路の出力にはデジタル情報信号が存在する。この復調されたデジタル情報信号は、相補導電タイプの２つの電界効果トランジスタからなる構成に供給される。これは、デジタル信号を増幅する。
【００１２】
本発明による、受信無線信号のデジタルおよび差動復調によって、情報信号を重畳する受信無線信号の２倍された周波数の少ないノイズ信号が存在する。これは、より少ない振幅である。このノイズ信号は、既知のＲＣ素子によってフィルタ除去される。
【００１３】
ノイズ信号の２倍された周波数および減少された振幅によって、ＲＣ素子の容量素子および抵抗素子のサイズは、大幅に減少される。
【発明を実施するための最良の形態】
【００１４】
以下において、本発明は、図面を参照して、実施例によって詳細に説明される。
【００１５】
図３の回路構成は、コイルＬを有する受信装置１、整流ユニット２および復調ユニット３を含む。受信装置１は、所定の周波数を有する無線信号を受信する。コイルＬ上への無線信号の誘導の結果として、整流ユニット２と関連して、コイルＬおよび受信装置１の２つの出力部（ＬＡおよびＬＢ）に、逆相で正極性の２つの半波無線信号（ＵＬＡおよびＵＬＢ）が現れる。無線信号の負極性の半波は、この場合、整流ユニット２と介してカットされる。
【００１６】
本発明において、２つの分割信号（ＵＬＡおよびＵＬＢ）は、各々個別に、それぞれのインバータ４に供給される。インバータ４は、それぞれ、アナログ分割信号を同一の周波数を有するデジタル方形波に変換する。その際、しかしながら、反転およびデジタル化に基づいて、デジタル「０」は所定の限界を下回る振幅に対して形成され、デジタル「１」は所定の限界を超える振幅に対して形成される。
【００１７】
２つの反転信号は、ＡＮＤ結合に供給され、入力される無線信号の振幅（ＵＬＡおよびＵＬＢ）が所定値を下回る場合にのみ、「１」信号がＡＮＤ回路の出力に生成される。ＡＮＤ結合の出力からの信号は、相補導電タイプの２つの電界効果トランジスタの構成に供給される。結果として、ＡＮＤ回路の出力信号は、増幅され反転される。
【００１８】
電界効果トランジスタに接続されたＲＣ素子は、デジタル信号より小さい振幅を有しデジタル信号に重畳された残存するノイズ信号を平滑化（Ｇｌａｅｔｔｕｎｇ）する。この場合、ノイズ信号は受信無線信号の２倍の周波数を有するが、振幅はかなり小さい。そのため、ＲＣ素子は、無線信号の復調に必要とされるサイズより大幅に小さくサイズ化され得る。ＲＣ素子の後に接続されたインバータ５によって、平滑化されたデジタル信号は、もう一度反転され、デジタル信号のエッジが改善される。
【図面の簡単な説明】
【００１９】
【図１】従来技術による復調回路構成を示す。
【図２】少なくとも社内技術水準の復調回路構成を示す。
【図３】本発明による復調回路構成を示す。
【符号の説明】
【００２０】
１  受信装置
２  整流ユニット
３  復調ユニット
４  インバータ
５  インバータ
Ｌ  コイル
ＬＡ  受信装置の出力部Ａ
ＬＢ  受信装置の出力部Ｂ
【図１】
2006500836.tif 000003
【図２】
2006500836.tif 000004
【図３】
2006500836.tif 000005
【国際調査報告】
2006500836.tif 000006
2006500836.tif 000007
2006500836.tif 000008
2006500836.tif 000009